(57)【要約】【課題】信号入力操作による入力ばねの塑性変更を防止でき、信号入力タイミングを適正に維持できる電子時計を提供すること。【解決手段】クロノグラフ付時計では、クロノグラフ針４，５を帰零させる際のリセットボタン１０によって押圧等されるのは帰零押さえばね部３６０ａであって、信号入力ばね３６０ｃを直接押圧しない構成とした。従って、信号入力ばね３６０ｃ自身の付勢力によりリセット端子７０１に接触するため、リセットボタン１０の操作で信号入力ばね３６０ｃが塑性変形する心配がない。そして、信号入力ばね３６０ｃの塑性変形を防止できることで、リセット信号の入力タイミングがずれることもなく、タイミングを適正に維持できる。【選択図】    図５
2005003493.tif 000002
【特許請求の範囲】
【請求項１】
時計を駆動させるための電子回路と、前記電子回路に導通した信号入力端子と、この信号入力端子に接触する方向の付勢力を有した信号入力ばねと、この信号入力ばねを前記信号入力端子から離間した位置に保持させる位置決め部材と、この位置決め部材による前記信号入力ばねの保持状態を解除して当該信号入力ばねを前記信号入力端子に接触させる外部操作部材とを備えていることを特徴とする電子時計。
【請求項２】
請求項１に記載の電子時計において、前記外部操作部材の動作によって曲げモーメントが前記位置決め部材および前記信号入力ばねに作用したとき、前記位置決め部材の断面係数は、前記信号入力ばねの断面係数よりも大きいことを特徴とする電子時計。
【請求項３】
請求項１または請求項２に記載の電子時計において、前記信号入力ばねおよび前記位置決め部材は、一つの部材で形成されていることを特徴とする電子時計。
【請求項４】
請求項１ないし請求項３のいずれかに記載の電子時計において、当該電子時計は多機能時計であり、前記外部操作部材は多機能時計用の機能操作ボタンであることを特徴とする電子時計。
【請求項５】
請求項４に記載の電子時計において、前記多機能時計はクロノグラフ付であり、前記機能操作ボタンはクロノグラフ針を機械的に帰零させ、かつ帰零時のリセット信号を前記電子回路に入力するリセットボタンであり、このリセットボタンの動きは、前記位置決め部材を介して前記クロノグラフ針の帰零機構を構成するレバー部材に伝達されることを特徴とする電子時計。
【請求項６】
請求項１ないし請求項３のいずれかに記載の電子時計において、前記外部操作部材はりゅうずであることを特徴とする電子時計。
【発明の詳細な説明】
【０００１】
【発明の属する技術分野】
本発明は、電子時計に関する。
【０００２】
【背景技術】
従来の電子時計では、クロノグラフ（以下クロノグラフを単に「ＣＧ」と略す場合がある。「ＣＧ」とは「ＣＨＲＯＮＯＧＲＡＰＨ」の略称である。）などの多機能時計の場合、ボタン操作による帰零時のリセット信号を回路基板の電子回路に入力するために、スイッチレバーなどのレバー部材と一体の入力ばねを設けるとともに、この入力ばねの先端をボタン操作によって回路基板の端子部分に接触させることで、信号の入力を行っている（例えば、特許文献１）。
また、スイッチレバー等の可動レバーに入力ばねを設けるのではなく、回路基板と導通のとれた回路押さえ等の固定部材に入力ばねを一体に設け、この入力ばねをボタン操作で変形させて回路基板の端子部分に接触させ、信号の入力を行う場合もある（例えば、特許文献２）。
【０００３】
さらに、クロノグラフ付の電子時計に限らず、通常の電子時計においても、時刻修正時のステップモータ停止用のリセット信号を電子回路に入力するために、切換部を構成するおしどりやかんぬき、あるいは規制レバーなどのレバー部材と一体に入力ばねを設け、入力ばねの先端をりゅうず操作による巻真の動きによって回路基板の端子部分に接触させ、信号の入力を行っている（例えば、特許文献１）。
【０００４】
【特許文献１】
特開２００２−２４３８６７号公報
【特許文献２】
特開平５−５２９６７号公報
【０００５】
【発明が解決しようとする課題】
しかしながら、前記特許文献１，２に記載の信号入力用の入力ばねは、回路基板の端子部分に接触した後に、ボタンや巻真の動きによってさらに押圧されることで所定の接触圧が得られるようになっているため、端子部分への接触後の変形量が大きいと塑性変形してしまい、本来必要な接触圧が得られないという問題が生じる。
また、入力ばねの塑性変形により端子部分との接触位置にずれが生じ、端子部分と接触するタイミングもずれてしまう可能性がある。入力ばねは一般的に、それほど大きなばね力が要求されないために、細く長いばね部材であることが多い。このため、ボタン操作時やりゅうず操作時に加わる外力に対してもともと容易に塑性変形し、加工上先端位置（端子部分との接触部分）のばらつきも大きいのであり、この点でもタイミングのずれが生じ易い部材といえる。
【０００６】
そして、端子部分と接触するタイミングがずれてしまうことで、次のような問題が発生すると考えられる。
例えばクロノグラフ付の多機能時計では、ボタン操作によって回路基板の端子部分に信号を入力する場合、ボタン操作時のクリック感に対して、入力ばねの変形により実際の信号入力が遅れてしまうと、クリック感が得られることでボタン操作が完了したと思っても、実際には入力ばねが端子部分に正確に接触しておらず、信号が電子回路に入力されていない状態が起こりえる。
一方、電子時計の切換部では、本来ステップモーターへのモーターパルスの出力が停止した後に輪列の動きが規制されるのであるが、入力ばねの変形により電子回路へのステップモーター停止用のリセット信号が遅れて入力されると、輪列の動きが規制されてからモーターパルスの出力が停止されることになりかねない。すなわち、輪列が規制されてからステップモーター停止用の指令信号が入力される間に、モーターパルスが出力される可能性があり、モーターパルスが出力されているにもかかわらず、輪列が動かないという現象が生じる。これによれば、電子回路からステップモーターに出力されるモーターパルスの位相と、モーターを構成するロータ磁石の極性とが反転するため、時刻修正後に時計を通常運針に戻そうとしても、最初のモーターパルスの出力ではローターが起動せず、時計に指示ずれが生じる。
【０００７】
本発明の目的は、信号入力操作による入力ばねの塑性変形を防止でき、信号入力タイミングを適正に維持できる電子時計を提供することにある。
【０００８】
【課題を解決するための手段】
本発明の電子時計は、時計を駆動させるための電子回路と、前記電子回路に導通した信号入力端子と、この信号入力端子に接触する方向の付勢力を有した信号入力ばねと、この信号入力ばねを前記信号入力端子から離間した位置に保持させる位置決め部材と、この位置決め部材による前記信号入力ばねの保持状態を解除して当該信号入力ばねを前記信号入力端子に接触させる外部操作部材とを備えていることを特徴とする。
【０００９】
このような構成によれば、外部操作部材によって押圧等されるのは位置決め部材であって、信号入力ばねは押圧されることがなく、自身の付勢力により信号入力端子に接触するため、外部操作部材で信号入力ばねが塑性変形する心配がない。そして、信号入力ばねの塑性変形が防止されることで、信号入力タイミングがずれることもなく、適正に維持される。
【００１０】
本発明の電子時計では、前記外部操作部材の動作によって曲げモーメントが前記位置決め部材および前記信号入力ばねに作用したとき、前記位置決め部材の断面係数は、前記信号入力ばねの断面係数よりも大きいことが望ましい。
このような構成では、位置決め部材の断面係数が信号入力ばねの断面係数よりも大きいので、この位置決め部材によれば、外部操作部材の動作時に作用する曲げモーメントに対してより大きなばね剛性で対抗可能となり、信号入力ばねが所定位置に安定した状態で位置決めされるとともに、外部操作部材で押圧等された位置決め部材は、そのばね力により元の位置に確実に復帰して信号入力ばねをも信号入力端子から離れた前記所定位置に確実に戻すようになる。そして、信号入力ばねを元の所定位置に戻す特別な部材が不要なことにより、構造の簡略化が図れる。
【００１１】
本発明の電子時計では、前記信号入力ばねおよび前記位置決め部材は、一つの部材で形成されていることが望ましい。
このような構成では、信号入力ばねおよび位置決め部材が一つの部材で形成されているから、部品点数が少なくてすむうえ、構造がさらに簡略され、組立性の向上によるコスト削減が促進される。
【００１２】
ここで、本発明の電子時計は多機能時計であり、前記外部操作部材は多機能時計用の機能操作ボタンであることが考えられる。
このような構成では、多機能時計の機能操作ボタンの操作に対して、信号入力ばねの塑性変形による信号入力のタイミングがずれないため、常に一定のタイミングで電子回路への信号が入力するようになり、動作が安定する。つまり、機能操作ボタンの操作感（クリック感）を与える構造を採用した場合や、例えばクロノグラフ付時計の機械式帰零機構でクロノグラフ輪列を規制する場合でも、信号入力ばねの塑性変形によるタイミングのずれが生じないので、クリック感が得られることにより、信号入力とクロノグラフ輪列の規制とを正しいタイミングで行え、タイミングのずれによる機能上の不具合が回避される。
【００１３】
具体的には、前記多機能時計はクロノグラフ付であり、前記機能操作ボタンはクロノグラフ針を機械的に帰零させ、かつ帰零時のリセット信号を前記電子回路に入力するリセットボタンであり、このリセットボタンの動きは、前記位置決め部材を介して前記クロノグラフ針の帰零機構を構成するレバー部材に伝達されることを特徴とする。
このような構成によれば、信号入力ばねの塑性変形が生じないことにより、リセットボタンの動きをレバー部材に伝達して帰零機構を動作させるのと、リセット信号を電子回路に入力するのとが正しいタイミングで行われるようになるから、リセット信号入力→クロノグラフ輪列の規正→帰零といった帰零操作時のタイミングが厳守され、クロノグラフ針の帰零操作が正確に行われるようになる。
【００１４】
一方、本発明の電子時計では、前記外部操作部材はりゅうずであることが考えられる。
このような構成を、例えば時刻修正時の電子回路へのリセット信号の入力に適用すれば、おしどり、かんぬき、および規制レバー等を介しての輪列を規制したり、つづみ車を小鉄車に噛み合わせるのと、リセット信号を電子回路に入力するのとを正しいタイミングで行えるようになるから、適正な切換タイミングが維持されるようになり、モーターパルスの位相と、モーターを構成するローター磁石の極性とが反転する心配がなくなってりゅうず押し込み時のスタートミスが防止され、指示ずれの発生が抑制される。
【００１５】
【発明の実施の形態】
以下、本発明の実施形態を図面に基づいて説明する。
図１は本実施例の表外観図を示す。
このクロノグラフ付時計は、同軸上に配置された通常時刻表示用の時針１と分針２は時計体１００のケース６の中心に対して６時方向に配置され、通常時刻表示用の基本時計秒針３は略１０時方向に配置されている。秒クロノグラフ時間を示すクロノグラフ秒針４は時計体１００のケース６の中心から１２時方向にわずかに偏心した位置に配置される。また、分クロノグラフ時間を表示するクロノグラフ分針５は略２時方向に配置され扇形の目盛り上を扇形に運針する。このクロノグラフは４５分計となっている。
時計体１００の中央面は文字板７で通常時刻を示す目盛りとクロノグラフ時間を示す目盛りが備えられる。時計体１００の３時方向には通常時刻を修正するためのりゅうず８が配され、２時方向には、スタート、ストップ操作をするためのスタート・ストップボタン９が配され、４時方向にはクロノグラフ針４，５を帰零するためのリセットボタン１０が配されている。
【００１６】
図２は、時計のムーブメント全体の要部斜視図である。図２は、ムーブメント上面の輪列受、回路押さえ、帰零押さえなどを取り除いた状態であり、通常時刻を表示するための基本時計輪列、クロノグラフ時間表示をするためのクロノグラフ輪列の要部を示している。
まず、通常時刻を示すための基本時計輪列の概構造を説明する。
地板４００の上面には合成樹脂製の回路受け座７００が配置される。基本時計用の駆動源である基本時計用モーター１０１は、基本時計用コイル１０２、基本時計用ステーター１０３、基本時計用ローター１０４から構成され、時計を駆動させるための電子回路からの駆動信号により１秒に１ステップのタイミングで基本時計用ローター１０４が回動し、五番車１０５を経て小秒車１０６に駆動が減速伝達されて前記小秒車１０６に保持された基本時計秒針３（図１に示す）によって通常時刻の秒表示がされる。また、五番車１０５、四番第三中間車１０７、四番第二中間車１０８、四番第一中間車１０９、三番車１１０を経て二番車１１１に減速伝達されて前記二番車１１１に保持された基本時計分針２（図１に示す）によって通常時刻の分表示がなされる。二番車１１１からは日の裏車を経て筒車に駆動が伝達されて通常時刻の時表示がされる（図は省略）。これらは、一般の電子時計と同じなので詳しくは説明しないが、通常時刻の時・分・秒は、図１のようにレイアウト、表示がなされている。
【００１７】
りゅうず８（図１に示す）に固着された巻真１３０は地板４００と回路受座７００との間に支持され、巻真１３０を引き出すことにより、おしどり１３１とかんぬき１３２が連動し、つづみ車１３３が小鉄車１３４と噛み合う。小鉄車１３４は順次、日の裏第三中間車１３５、日の裏第二中間車１３６、日の裏第一中間車１３７、日の裏車１３８に巻真１３０の回動を伝達し、通常の時刻修正が行われる。おしどり１３１には規正レバー１３９が係合しており巻真１３０の引き出しに連動して四番第一中間車１０９を規正する。これら上述した基本時計輪列を構成する車、レバー類は回路受け座７００と、輪列受４０１（図４に示すが、基本時計輪列の図は省略している）の間に支持されている。
【００１８】
次に図３にてクロノグラフ輪列について説明する。図３は、図２のクロノグラフ輪列の要部を拡大した斜視図である。
クロノグラフ輪列の駆動源であるクロノグラフモーター２０１は、クロノグラフコイル２０２、クロノグラフステーター２０３、クロノグラフローター２０４から構成される。電子回路からの駆動信号により、クロノグラフローター２０４が回転駆動し、秒ＣＧ第三中間車２０５、秒ＣＧ第二中間車２０６、秒ＣＧ第一中間車２０７を経て秒ＣＧ車２０８に伝達され、秒ＣＧ車２０８に保持されたクロノグラフ秒針４（図１に示す）にてクロノグラフ秒が表示される。秒ＣＧ車２０８には、帰零のためのハートカム２１０が備えられている。
一方、分のクロノグラフ車である分ＣＧ車２２０は、秒ＣＧ第一中間車２０７から分ＣＧ第二中間車２２２、分ＣＧ第一中間車２２１を経てクロノグラフモーター２０１からのステップ駆動が伝達され、分ＣＧ車２２０に保持されたクロノグラフ分針５（図１）にてクロノグラフ分が表示される。分ＣＧ車２２０には、帰零のためのハートカム２２４が備えられている。秒ＣＧ第一中間車２０７には、分ＣＧ車２２０に噛み合うかなと、分ＣＧ第二中間車２２２と噛み合うかなが備えられている（図は省略）。
クロノグラフ輪列は、図４にも示すように地板４００の上面に載置した回路受け座７００と、回路押さえ６００、回転錘受４６０（図は省略）の間に支持されている。
【００１９】
図４は、秒ＣＧ車２０８と分ＣＧ車２２０の構成を示す断面図である。−
秒ＣＧ車２０８と分ＣＧ車２２０とは、構成は同じなので秒ＣＧ車２０８を例に詳しく説明する。
秒ＣＧ車２０８は、秒ＣＧ車軸２１１と、ハートカム２１０、秒ＣＧ歯車２０９とによって構成されている。
秒ＣＧ車軸２１１に形成されたハートカム２１０の下部２１１ａには、秒ＣＧ歯車２０９が回動可能に遊嵌され、スリップばね２１２の弾性力によってハートカム２１０の下面段部２１１ｂに押圧されている。スリップばね２１２は、スリップばね押さえ座２１３を秒ＣＧ車軸２１１に押し込み固定することで、一定量の撓みをもって秒ＣＧ歯車２０９を押し付けている。ハートカム２１０と秒ＣＧ歯車２０９の接触部は、スリップばね２１２の押圧による摩擦力でクロノグラフ計測中は連動する。一方、帰零時には、ハートカム２１０は、復針レバー３３０で側面を押圧され強制回動されて秒ＣＧ歯車２０９とハートカム２１０とはスリップし、ハートカム２１０と一体の秒ＣＧ車軸２１１が回動しクロノグラフ秒針４を０秒位置まで帰零する。秒ＣＧ歯車２０９と他のクロノグラフ輪列は回動せず通常の噛み合いを保持する。帰零操作については、図５以降で詳しく説明する。ここで、秒ＣＧ車２０８は、回路受座７００と回路押さえ６００の間で軸受によって支持されている。
なお、分ＣＧ車２２０は、秒ＣＧ車２０８と同じ構造であり詳しい説明は省略するが、分ＣＧ車軸２２５、分ＣＧ歯車２２３、ハートカム２２４で構成される。分ＣＧ歯車２２３は、スリップばね２２６の弾性力でハートカム下面段部２２５ｂに押圧される構造である。分ＣＧ車２２０は、回路受け座７００と回転錘受４６０の間で軸受によって支持されている。
帰零時には、ハートカム２２４は、復針レバー３３０で強制回動され、分ＣＧ歯車２２３とはスリップし、ハートカム２２４と一体の分ＣＧ車軸２２５が回動しクロノグラフ分針５を帰零する。分ＣＧ歯車２２３と他のクロノグラフ輪列は回転せず通常の噛み合いを保持する。
本発明では、スリップばね２１２，２２６は、秒ＣＧ歯車２０９、分ＣＧ歯車２２３とは別に構成されたが、両ＣＧ歯車内にスリップ部を設けてもその機能は変わらない。また、ハートカムは、ＣＧ車軸に一体で形成しているが、別体にして固着してもよい。
【００２０】
図５、図６を用いてクロノグラフの構成を説明する。図５は、リセットボタン１０を押し操作したときのクロノグラフ帰零状態を示す要部平面図、図６は、図５の帰零機構の主要構成部品を取り出して示した要部斜視図である。
図５と図６において、スタート・ストップボタン９はボタン押し操作前の初期位置にある。リセットボタン１０は押し操作したときの状態を示している。帰零押さえ３６０は、一部を地板方向に折り曲げた帰零押さえばね部３６０ａを形成し、伝達レバー３１０の先端部３１０ａと当接している。伝達レバー３１０には、樹脂成形された回路押さえ６００に植立した伝達レバー軸６００ａに対応する位置に穴３１０ｂが設けられ伝達レバー軸６００ａと遊嵌している。伝達レバー３１０のもう一方の先端部には作動軸３１０ｃが伝達レバー３１０と一体に形成されており、復針伝達レバー３２０のトラック状の穴３２０ｂと係合している。
【００２１】
復針伝達レバー３２０には、ほぼ中央に穴３２０ａが設けられ、回路押さえ６００に一体に形成された回動軸６００ｂに遊嵌している。伝達レバー３１０とは逆側方向先端には、２つの異なる径の段部を有する作動軸３２１が植立されている。作動軸３２１の径大側段部３２１ａ部は、復針レバー３３０の略長方形の穴３３２に係合している。作動軸３２１の径小側段部３２１ｂ（図６参照）は、クリックばね３６１に係合している。このクリックばね３６１は、復針伝達レバー３２０を位置決めする部材であり、帰零押さえ３６０に一体に形成されている。
【００２２】
復針伝達レバー３２０に連動する復針レバー３３０は、回路押さえ６００に形成された回動軸６００ｃに対応する穴３３０ａが明けられ、回動軸６００ｃとは遊嵌している。復針レバー３３０の時計中心方向には、分ＣＧ車２２０のハートカム２２４と当接する面３３０ｂと、秒ＣＧ車２０８のハートカム２１０と当接する面３３０ｃとが設けられている。復針レバー３３０の当接する面３３０ｃ側は、当接面３３０ｂ側に対してスリット３３０ｄで切断されており、ばね部３３０ｅを有している。作動レバー３４０側には、略三角形の穴３３１が明けられ、作動レバー３４０に形成された作動軸３４０ａと係合している。
【００２３】
作動レバー３４０は、回路押さえ６００に形成された回動軸６００ｄに対応する位置に穴３４０ｂが明けられ回動軸６００ｄとは遊嵌している。また、スタート・ストップボタン９近傍にはボタン押し操作時にボタンが当接する面３４０ｃが断面的に折り曲げられ形成されている。ボタン当接面３４０ｃと穴３４０ｂの間には、スイッチ入力端子３４０ｄが一体で形成されており、スタート・ストップボタン９の押し操作時には、回路基板５０１（図１０参照）の側面に設けられたスタート・ストップ入力パターン５０２に電気的に接続している。さらに、作動レバー３４０には、同じ面状に軸３４０ｅと作動軸３４０ａが形成されており、軸３４０ｅは、帰零押さえ３６０に形成され、作動レバー３４０を位置決めするクリック部３６２と係合し、作動軸３４０ａは復針レバー３３０の略三角形穴３３１と係合している。
【００２４】
クロノグラフ規正レバー３５０は、輪列受４０１に形成された回動軸４０１ａに対応する位置に穴３５０ａを設けてあり回動可能に遊嵌している。
クロノグラフ規正レバー３５０は、輪列受４０１にトラック状に形成された突起部４０１ｂの側面に当接するばね部３５０ｃと、秒ＣＧ第二中間車２０６の近傍にあって、秒ＣＧ第二中間車２０６に断面的に係合する位置まで折り曲げた規正部３５０ｂと、作動レバー３４０の先端部３４０ｆと係合するくちばし状の先端部３５０ｄとが形成されている。また、復針伝達レバー３２０の半島状の突出部３２０ｄと係合している。
【００２５】
次に、クロノグラフの操作について図５〜図１１を用いて説明する。
図５および図６で帰零操作について説明する。
リセットボタン１０を押すと、リセットボタン１０は、帰零押さえ３６０のばね部３６０ａを介し、伝達レバー３１０の先端部３１０ａ部を反時計方向に押動する。伝達レバー３１０は伝達レバー軸６００ａを中心に回動し、他方の先端にある作動軸３１０ｃも反時計方向に回動する。
【００２６】
復針伝達レバー３２０は、回動軸６００ｂを中心に伝達レバー３１０の作動軸３１０ｃにより時計方向に回動され、他端にある作動軸３２１も時計方向に回動する。すると、作動軸３２１の径大側段部３２１ａによって復針レバー３３０に設けられた略長方形の穴３３２の内面壁３３２ａが押され、復針レバー３３０は回動軸６００ｃを中心に反時計方向に回動させられる。復針レバー３３０の回動により、分ＣＧ車２２０のハートカム２２４の端面と対向する面３３０ｂと、秒ＣＧ車２０８のハートカム２１０の端面と対向する面３３０ｃとがそれぞれハートカム２１０，２２４を圧接し、各ハートカム２１０，２２４、つまりは秒ＣＧ車軸２１１、分ＣＧ車軸２２５に軸止されたクロノグラフ秒針４、クロノグラフ分針５を、設定された位置、一般にはゼロ位置に復針、つまり帰零させる。
この際、復針レバー３３０の秒ＣＧ車２０８側は、スリット３３０ｄによって切断されており、ばね部３３０ｅの弾性力でハートカム２１０を圧接しているので、二つのハートカム２１０，２２４との圧接を構成部品の寸法のばらつきをばね部３３０ｅで吸収し確実に帰零させることができる。
【００２７】
秒ＣＧ車２０８、分ＣＧ車２２０が帰零されるとき、秒ＣＧ歯車２０９および分ＣＧ歯車２２３は、秒ＣＧ車軸２１１と分ＣＧ車軸２２５に対してスリップ構造となっているため、ハートカムが帰零されても他のクロノグラフ輪列は回動されない。
従って、クロノグラフ輪列、クロノグラフローター２０４は回動せず、相互の位相がずれることもなく、クロノグラフを正確にスタートさせることができる。
【００２８】
帰零操作完了時に、復針伝達レバー３２０の作動軸３２１は、帰零押さえ３６０に一体で形成されたクリックばね３６１の先端の斜面部３６１ａに位置し、クリックばね３６１の弾性力で付勢され、復針レバー３３０の略長方形穴３３２の内面壁３３２ａに当接する。このため、復針伝達レバー３２０は、安定した位置を保持することができる。
リセットボタン１０の操作を解除すると、リセットボタン１０と帰零押さえ３６０のばね部３６０ａが操作前の位置に復帰する。リセットボタン１０、復針伝達レバー３２０、復針レバー３３０は、帰零操作完了時の状態で保持されるため、リセットボタン１０を繰り返し押し操作しても伝達レバー３１０に係合する他のレバーの状態は変わらない。
【００２９】
リセットボタン１０を押して帰零操作を行ったとき、クロノグラフ規正レバー３５０は、復針伝達レバー３２０の半島状の突出部３２０ｄとの係合が解除されるため、ばね部３５０ｃの弾性力で反時計方向に回動され、規正部３５０ｂが、秒ＣＧ第二中間車を圧接してクロノグラフ輪列を規正する。
ハートカム２１０，２２４を回動させ帰零させるとき、秒ＣＧ歯車２０９、分ＣＧ歯車２２３は、スリップ構造を備え、他のクロノグラフ輪列は回動させない構成としているが、スリップトルクがクロノグラフ輪列の負荷より大きくなると帰零時に他のクロノグラフ輪列を回動させてしまうことがある。クロノグラフ規正レバー３５０を設けることにより、スリップ構造を完全に機能させることができるため、帰零操作時にクロノグラフ輪列を回動させクロノグラフローター２０４の磁極の位相をずらせることがなく正確なクロノグラフスタートが可能になる。
なお、クロノグラフ規正レバー３５０は、秒ＣＧ第二中間車２０６を規正しているが、他のクロノグラフ輪列を規正してもよい。また、リセットボタン１０の操作を解除しても復針伝達レバー３２０の位置が変わらないため、クロノグラフ規正レバー３５０もその位置を保持し続ける。
【００３０】
帰零操作時には、スタート・ストップボタン９は押し操作前の位置にあり、作動レバー３４０は軸３４０ｅと帰零押さえ３６０のクリックばね３６２とで位置決めされており、スイッチ入力端子３４０ｄもスタート・ストップ入力パターン５０２とは離れた位置に保持される。
ここで、帰零操作時のタイミングとしては、リセット信号入力、クロノグラフ輪列の規正、帰零の順が誤動作をさせないための順序であり、本実施例の構成では、クロノグラフ規正レバー３５０が復針伝達レバー３２０と連動する構造のため最適なタイミングをとることができる。
【００３１】
リセットボタン（外部操作部材、機能操作ボタン）１０の押し操作時のスイッチ入力について、図７および図８を参照して説明する。なお、図７は、帰零操作時のリセットボタン１０部分の断面図、図８は、リセットボタン１０方向からの側面図である。
リセットボタン１０を押し操作すると（矢印方向）、リセットボタン１０の動きは帰零押さえ３６０のばね部（位置決め部材）３６０ａを介して伝達レバー（レバー部材）３１０に達され、この伝達レバー３１０を（イ）から（ロ）の位置まで押動する。このため、前述したように、機械式帰零機構を構成する復針伝達レバー３２０と復針レバー３３０が連動してハートカム２１０、２２４を圧接しクロノグラフ秒針４、クロノグラフ分針５を帰零する。
【００３２】
図８において、回路受け座７００には、リセット端子（信号入力端子）７０１が植立されており、リセット端子７０１の一方の端面は回路基板５０１に設けられた電子回路のリセット入力パターン５０１ａに電気的に接続し、導通している。
回路基板５０１のリセット入力パターン５０１ａとは逆側の面を帰零押さえ３６０の一部からなるリセット端子押さえばね３６０ｂでしっかり押さえ、リセット端子７０１とリセット入力パターン５０１ａとの接続の信頼性を高めている。
【００３３】
リセットボタン１０の押し操作で帰零押さえばね部３６０ａの先端部は時計中心側に移動し、その移動に連動して帰零押さえ３６０に一体で形成された信号入力ばね３６０ｃが自身のばね力により戻ってリセット端子７０１に接触し、リセット入力ＯＮとなる。つまり、信号入力ばね３６０ｃは、リセット端子７０１に接触する方向の付勢力を有した状態で帰零押さえばね部３６０ａによってリセット端子７０１から離れた所定位置に保持されており、帰零押さえばね部３６０ａによる保持状態が解かれるとリセット端子７０１に接触する。こうすることで、本実施形態では、リセットボタン１０で信号入力ばね３６０ｃを直接押圧することをせず、信号入力ばね３６０ｃが塑性変形するのを防いでいる。
【００３４】
そして、リセット入力がＯＮされると、電子回路はリセットされ、クロノグラフは初期状態に設定され、最初のスタートが可能な状態となる。リセットボタン１０の操作を解除すると、リセットボタン１０はケースに設けられたボタン戻しばね（図示しない）により元の位置に戻り、また、リセットボタン１０が戻るのと同時に、これによって押圧されていた帰零押さえばね部３６０ａも自身のばね力により元の位置に復帰し、さらに、この復帰により信号入力ばね３６０ｃも帰零押さえばね部３６０ａによって戻されてリセット端子７０１から離間して位置するようになる。この際、帰零押さえばね部３６０ａの断面係数は、信号入力ばね３６０ｃのそれよりも大きく、リセットボタン１０の動作によって曲げモーメントが帰零押さえばね部３６０ａおよび信号入力ばね３６０ｃに作用したとき、帰零押さえばね部３６０ａは曲げモーメントに対してより大きなばね力で対抗することが可能であるため、信号入力ばね３６０ｃを確実に戻すことが可能であるうえ、所定位置に安定した状態で位置決めできる
ただし、このリセット操作によりリセット端子７０１との接続はＯＦＦとなるが、クロノグラフの状態は変わらない。また、この状態から再度、リセットボタン１０を押し操作しても、スタート、ストップの信号が入力されなければリセット入力は受け付けない電子回路の構成となっている。
【００３５】
次に、図９，１０を参照して、クロノグラフ計測スタート操作を説明する。なお、図９はスタート・ストップボタンを押し操作したときの状態を示す要部平面図、図１０は、スタートスイッチ入力時の断面図である。
スタート・ストップボタン９を押し操作すると、作動レバー３４０は、スタート・ストップボタン９と当接する面３４０ｃを押動され、回動軸６００ｅを中心に反時計方向に回動する。作動レバーに形成された作動軸３４０ａが反時計方向に回動すると、復針レバー３３０の略三角形穴３３１の内面壁３３１ａが押され、復針レバー３３０は回動軸６００ｃを中心に時計方向に回動する。
【００３６】
復針レバー３３０のハートカム２２４，２１０との当接面３３０ｂ、３３０ｃは、ハートカム２２４、２１０の回動軌跡範囲から離れた位置まで移動する。同時に、作動レバー３４０の半島状の先端部３４０ｆがクロノグラフ規正レバー３５０のくちばし状先端部３５０ｄを押動するため、クロノグラフ規正レバー３５０は回動軸４０１ａを中心に回動し、規正部３５０ｂが秒ＣＧ第二中間車２０６と離れる位置まで移動する。このため、クロノグラフ輪列は、すべての規正が解除された状態となる。
【００３７】
作動レバー３４０に形成されたスイッチ入力端子３４０ｄは、先端が曲げられ、回路基板５０１の側面に配置されており、スタート・ストップボタン９の押し操作に伴い、回路基板５０１の端面に設けられたスタート・ストップ入力パターン５０２に電気的に接続する。これにより、スタート入力がＯＮし、クロノグラフ計測がスタートする。
ここで、スタートの最適なタイミングとしては、帰零解除または規正解除、スタートスイッチ入力の順とするのがスタート誤差をなくす順序であり、復針レバー３３０の帰零状態の解除とクロノグラフ輪列の規正解除を作動レバーひとつで行うため最適なタイミングを得ることができる。
【００３８】
作動レバー３４０に連動した復針レバー３３０は、略長方形穴３３２の内面壁３３２ａで復針伝達レバー３２０の作動軸３２１を押動し、クリックばね３６１先端の斜面部３６１ａから凹部３６１ｂまで移動させる。この状態で復針伝達レバー３２０の位置が決められ保持される。伝達レバー３１０は、リセットボタン１０が押動できる位置まで戻される。
【００３９】
スタート・ストップボタン９を押したとき、クリックばね３６２と係合する作動レバー３４０の軸３４０ｅは、クリックばね先端の凹部３６２ａの斜面を乗り越えるが、スタート・ストップボタン９の押し操作を解除するとクリックばね３６２の弾性力と凹部３６２ａの外側の長手方向の壁の斜面で元の位置まで戻され（矢印方向）、凹部３６２ａに収まり位置決めされる。従って、作動レバー３４０は、操作時以外はクリックばね３６２により定位置に位置決めされている。また、作動レバー３４０が定位置に復帰するとき、作動軸３４０ａは復針レバー３３０の略三角形穴３３１内を移動し、穴内の壁に係合しないので、復針レバー３３０は動かずにその位置を保持されている。
スイッチ入力端子３４０ｄは、スタート・ストップ入力パターン５０２から離れスイッチ入力はＯＦＦとなるが、電子回路の状態は変わらず、クロノグラフ計測を継続する。
【００４０】
次に、ストップ操作について説明する。クロノグラフ計測をスタートした後、スタート・ストップボタン９を押し操作する。作動レバー３４０は、スタート・ストップボタン９によって押動され反時計方向に回動する。作動軸３４０ａは復針レバー３３０の略三角形穴３３１内を移動するが、穴内の壁に係合することなく移動する。
クリックばね３６２と係合する軸３４０ｅは、クリックばね先端の凹部３６２ａから凹部斜面を乗り越えて停止する。このとき、スイッチ入力端子３４０ｄは、スタート・ストップ入力パターン５０２に接続し、ストップ入力ＯＮとなり、クロノグラフモーター２０１への信号が停止し、クロノグラフ計測はストップとなる。作動レバー３４０は、スタート・ストップボタン９の押し操作を解除するとクリックばね３６２の弾性力と斜面部の復元力で、クリックばね先端の凹部３６２ａ（矢印方向）に戻されボタン操作前の位置に停止、保持される。
上述したように、クロノグラフのスタートとストップはスタート・ストップボタンの押し操作で繰り返し行うことができ、積算計測が可能となっている。
【００４１】
スタート・ストップボタン９を押し操作するとき、作動レバー３４０のクリックばね３６２と係合する軸３４０ｅが、クリックばね先端の凹部３６２ａの斜面を乗り越える瞬間の抵抗力がスタート・ストップボタン９に伝達するため、押し操作の節度感が得られる。
リセットボタン１０の押し操作のときも、復針伝達レバー３２０の作動軸３２１がクリックばね先端の凹部３６１ｂから斜面部３６１ａに移動する際の、二つの凹部間の山を乗り越える瞬間の抵抗力がボタン１０に伝達するため、押し操作の節度感が得られる。
【００４２】
図１０において、スイッチ入力端子３４０ｄのスイッチ入力の状態を説明する。スタート・ストップボタン９を押し操作すると（矢印方向）、作動レバー３４０との当接面３４０ｃが押動され、先述したように、帰零状態にあった復針レバー３３０を帰零解除の状態まで移動させる。このとき、作動レバー３４０に一体に形成されたスイッチ入力端子３４０ｄが（イ）から（ロ）まで移動し、回路基板５０１に設けられたスタート・ストップ入力パターン５０２に接触しスタート入力ＯＮとなり、クロノグラフモーター２０１に駆動信号を出し、クロノグラフ計測がスタートする。スタート・ストップボタン９の押し操作を解除すると、スタート・ストップボタン９は時計のケース６内に設けられたボタン戻しばね（図示しない）で元の位置まで戻される。このとき、作動レバー入力端子３４０ｄも（ロ）から（イ）の位置に戻り、スイッチ入力はＯＦＦされる。しかし、駆動信号は継続して出ており、クロノグラフ計測は継続する。
【００４３】
クロノグラフ計測をしているときに、再度、スタート・ストップボタン９を押し操作すると、前述したように、作動レバー３４０がボタンと連動し、スイッチ入力端子３４０ｄがスタート・ストップ入力パターン５０２に接触し入力ＯＮ状態になる。このときは、電子回路からのクロノグラフモーター２０１への駆動信号はＯＦＦとなり、クロノグラフ計測はストップとなる。その後、スタート・ストップボタン９の押し操作を解除すると、スタート・ストップボタン９、作動レバー３４０、スイッチ入力端子３４０ｄは元の位置に戻るが、クロノグラフの状態は変わらない。このように、スタート・ストップボタン９の押し操作の繰り返しでクロノグラフのスタート、ストップが繰り返される。
【００４４】
図１１は、リセットボタン１０、スタート・ストップボタン９の両方が押し操作されていないときの状態を示す。
リセットボタン１０、伝達レバー３１０、復針伝達レバー３２０、復針レバー３３０の相対位置関係は図９と変わらない。
作動レバー３４０は、スタート・ストップボタン９の押し操作位置からクリックばね３６２の先端の凹部３６２ａに復帰し安定状態になる。スイッチ入力端子３４０ｄは、スタート・ストップ入力パターン５０２から離れた位置にあり、作動軸３４０ａは、復針レバー３３０の略三角形穴３３１の一方の内面壁部３３１ａから逆側の壁側に移動している。クロノグラフ規正レバー３５０の規正解除の際、係合していた作動レバー３４０の半島状の先端部３４０ｆはクロノグラフ規正レバー３５０とは離れた位置に停止する。クロノグラフ規正レバー３５０は、復針伝達レバー３２０の半島状の突出部３２０ｄで秒ＣＧ第二中間車２０６に接触しない位置に規制されている。
従って、ボタン押し操作でスイッチ入力しているとき以外は、スタート、ストップ、リセットの各状態でスイッチＯＦＦとなっているため、スイッチＯＮ／ＯＦＦに係わる消費電流を低減することができる。
【００４５】
以上の動作をまとめると、スタート操作のときは、スタート・ストップボタン９の押し操作によって、作動レバー３４０を押動させ、ハートカム２１０および２２４から離れた位置に復針レバー３３０を移動させる。同時に、クロノグラフ規正レバー３５０の秒ＣＧ第二中間車２０６の規正を解除し、スイッチ入力端子３４０ｄをスタート・ストップ入力パターン５０２に接続させスタートスイッチ入力をＯＮし、クロノグラフ計測をスタートさせる。復針伝達レバー３２０は、クリックばね先端の凹部３６１ｂのスタート時の位置に移動させその位置を保持する。復針伝達レバー３２０は、伝達レバー３１０をリセットボタン１０の操作可能な位置まで移動させている。スタート・ストップボタン９の操作を解除すると、作動レバー３４０は、クリックばね３６２によって位置を定位置に戻され保持され、他のレバーはそのままの位置を保持している。
【００４６】
また、ストップ操作のときは、スタート・ストップボタン９の押し操作によって、作動レバー３４０をクリックばね先端の凹部３６２ａ斜面を乗り越える位置まで押動させ、スイッチ入力端子３４０ｄをスタート・ストップ入力パターン５０２に接続させストップ入力をＯＮし、クロノグラフ計測をストップさせクロノグラフ時間を読み取ることを可能にしている。このとき、他のレバーは作動しない。作動レバー３４０は、スタート・ストップボタン９の操作を解除すると、クリックばね３６２によってスタート操作のときと同じ定位置まで戻され保持される。
【００４７】
帰零操作のときは、クロノグラフストップ状態のときに、リセットボタン１０の押し操作によって、伝達レバー３１０を押動し、復針伝達レバーをクリックばね３６１のストップ操作時の定位置から次の帰零時定位置の斜面部３６１ａまで移動させ、復針レバー３３０を連動し、秒ＣＧ車２０８および分ＣＧ車２２０のハートカム２１０，２２４を圧接して帰零させる。同時にクロノグラフ規正レバー３５０を押動させて、秒ＣＧ第二中間車２０６を圧接して規正する。このとき、リセットスイッチがＯＮし、電子回路をリセットする。
【００４８】
このような本実施形態によれば、以下のような効果がある。
（１）すなわち、本実施形態のクロノグラフ付時計では、クロノグラフ針４，５を帰零させる際のリセットボタン１０によって押圧されるのは帰零押さえばね部３６０ａであって、信号入力ばね３６０ｃは押圧されることがなく、信号入力ばね３６０ｃ自身の付勢力によりリセット端子７０１に接触するため、リセットボタン１０の操作で信号入力ばね３６０ｃが塑性変形する心配がない。そして、信号入力ばね３６０ｃの塑性変形を防止できることで、リセット信号の入力タイミングがずれることもなく、タイミングを適正に維持できる。
【００４９】
（２）この際、帰零押さえばね部３６０ａは、その断面係数が信号入力ばね３６０ｃの断面係数よりも大きいため、リセットボタン１０を操作したときに作用する曲げモーメントに対してより大きなばね力で対抗でき、信号入力ばね３６０ｃを所定位置に安定した状態で位置決めできるとともに、リセットボタン１０で押圧された帰零押さえばね部３６０ａを、そのばね力により元の位置に確実に復帰させて信号入力ばね３６０ｃをもリセット端子７０１から離れた前記所定位置に確実に戻すことができる。そして、信号入力ばね３６０ｃを元の所定位置に戻す特別な部材が不要であるから、構造を簡略化できる。
【００５０】
（３）また、帰零押さえばね部３６０ａおよび信号入力ばね３６０ｃは帰零押さえ３６０の一部として一体とされ、一つの部材で構成されているため、個別に製作する場合に比して部品点数を少なくできるうえ、構造をさらに簡略化でき、組立性を向上させてコストを削減できる。
【００５１】
（４）さらに、リセットボタン１０の操作に対して、信号入力ばね３６０ｃの塑性変形による信号入力のタイミングがずれないため、常に一定のタイミングで電子回路への信号を入力させることができ、動作を安定させることができる。つまり、本実施形態では、リセットボタン１０の操作時にはクリックばね３６１により操作感（クリック感）が与えられ、また、クロノグラフ規正レバー３５０を押動させてクロノグラフ輪列を規制しているのであるが、信号入力ばね３６０ｃの塑性変形によるタイミングのずれが生じないので、クリック感が得られることにより、リセット信号の入力とクロノグラフ輪列の規制とを正しいタイミングで行え、タイミングのずれによる機能上の不具合を回避できる。
【００５２】
（５）より具体的には、信号入力ばねの塑性変形が生じないことにより、リセットボタン１０の動きを伝達レバー３１０に伝達して帰零機構を動作させるのと、リセット信号を電子回路に入力するのとが正しいタイミングで行われるようになるから、リセット信号入力→クロノグラフ輪列の規正→帰零といった帰零操作時のタイミングを確実に厳守でき、クロノグラフ針４，５の帰零操作を正確に実施できる。
【００５３】
（６）一般にクロノグラフの操作仕様はスタート、ストップ、帰零操作の３操作を備えている。本実施形態では、この操作に対応して主要構成部品としては復針レバー３３０、復針伝達レバー３２０、作動レバー３４０の３部品で構成しており、部品点数を少なくでき簡素な構造のクロノグラフ付時計を提供できる。
また、スタート、ストップ、帰零それぞれの状態で作動レバー３４０、復針伝達レバー３２０、復針レバー３３０の位置が規制保持されているため、クロノグラフ操作が確実に行える。
【００５４】
（７）また、復針伝達レバー３２０とリセットボタン１０の間に伝達レバー３１０を配置し、リセットボタン１０を押し操作した際に、伝達レバー３１０、復針伝達レバー３２０、復針レバー３３０を連動して帰零を行っている。リセットボタン１０の位置が本実施形態では略４時方向にあるが、その位置をデザイン面などから別の位置に移動させても復針伝達レバー３２０以降の構成を変えずに、伝達レバー３１０の位置や形状を変えることで対応できる利点も有している。すなわち、復針伝達レバーを、リセットボタン１０に当接する部品（伝達レバー３１０）と、復針レバー３３０に係合する部品（復針伝達レバー３２０）とに分けることで、様々なレイアウトに対応し易くなり、レイアウトに関する対応範囲を広くできる。
【００５５】
（８）本実施形態では、スタート・ストップボタン９の操作時以外は、作動レバー３４０をボタン操作前の定位置に位置決めするクリックばね３６２と、リセットボタン１０を押し操作したとき、復針伝達レバー３２０を帰零の状態に位置を規制するとともに、スタート・ストップボタン９操作のときに、復針伝達レバー３２０を帰零解除の状態に位置を規制するクリックばね３６１を有している。
このようなクリックばね３６１，３６２を設けたので、先端の凹部で安定的に作動レバー３４０、復針伝達レバー３２０の位置を規制することができる。また、ボタン９，１０操作によってクリックばね３６１，３６２の先端部の山を越えるときには、その周辺斜面を乗り越えるために操作力が増し、乗り越えた瞬間には次の規制位置まで瞬時に移動するため、ボタン９，１０操作の節度感が得られ、ボタン９，１０に触れた程度ではボタン９，１０は作動されないので、誤操作を防ぐこともできる。
【００５６】
（９）また、各クリックばね３６１，３６２は、先端の凹部形状、ばね部の形状は異なるが、帰零押さえ３６０に一体で形成されているので、部品点数の減少、構造の簡略化、組立性の向上などの効果がある。また、各クリックばね３６１，３６２が帰零押さえ３６０と一体で形成されているため、相対的な位置のばらつきを抑え、直接位置規制する作動レバー３４０や復針伝達レバー３２０だけでなく、作動レバー３４０、復針伝達レバー３２０に連動する復針レバー３３０、クロノグラフ規正レバー３５０の位置も正確に保持でき、クロノグラフ操作の誤動作を防ぐ効果もある。
【００５７】
（１０）本実施形態では、秒ＣＧ車２０８、分ＣＧ車２２０にスリップ構造を組み込んでいるので、復針レバー３３０をハートカムに圧接して帰零を行うときには、ハートカム即ち秒ＣＧ車２０８、分ＣＧ車２２０に軸止されたクロノグラフ秒針４、クロノグラフ分針５が帰零され、他のクロノグラフ輪列は回転しない。従って、クロノグラフモーター２０１のクロノグラフローター２０４の磁気的な位相がずれることなく、スタート時にスタート遅れによるクロノグラフ計測誤差を押さえることができる。
【００５８】
（１１）また、本実施形態では、スタート、ストップの順に動作される作動レバー３４０に一体に構成されるスイッチ入力端子３４０ｄを設けて電子回路のスイッチ入力としているので、作動レバー３４０の動きとスイッチ入力のタイミングを容易に取ることができる。
また、作動レバー３４０はスタート、ストップ操作後に位置決め用の部材によって定位置に戻るため、スイッチ入力端子３４０ｄは、電子回路にスイッチ入力を伝達した後、電子回路のスタート・ストップ入力パターン５０２から離れた位置で保持される。そのため、スイッチ入力による常時電流は発生せず、消費電力を削減することも可能である。また、スイッチ入力端子３４０ｄは、作動レバー３４０のどの位置に形成するかは選択の自由度があり、ムーブメント内に収めることが可能で、コンパクトな時計の構成にも寄与する。
【００５９】
（１２）本実施形態では、クロノグラフ規正レバー３５０を備えているので、秒ＣＧ車２０８、分ＣＧ車２２０のスリップトルクがクロノグラフ輪列の負荷より大きくなった場合でも、確実にスリップ機能を働かせることができ、帰零時にクロノグラフ輪列まで回動させることを防ぎ、クロノグラフをスタートしたときの計測誤差をなくすことができる。また、帰零時のタイミングとしては、リセット信号入力、規正、帰零の順でなされるのがよいが、復針伝達レバー３２０でクロノグラフ規正レバー３５０および復針レバー３３０を作動させて規正、帰零操作を連動させているため、最適なタイミングの設定がしやすい効果もある。
【００６０】
（１３）また、本実施形態では、スタート・ストップボタン９の押し操作で、クロノグラフ規正レバー３５０が、作動レバー３４０と係合し、スタート・ストップボタン９の操作で、クロノグラフ輪列の規正を解除している。
クロノグラフのスタート時には、スタートスイッチ入力の前にクロノグラフ輪列の歯車からクロノグラフ規正レバー３５０が解除されていることが必要である。クロノグラフスタートの最適タイミングは、帰零解除または規正解除、スタートスイッチ入力の順である。スタートスイッチ入力と規正解除を行う作動レバー３４０とクロノグラフ規正レバー３５０がダイレクトに連動することは、そのタイミングを取りやすい構造である。
【００６１】
なお、本発明は、前記実施形態に限定されるものではなく、本発明の目的を達成できる他の構成等を含み、以下に示すような変形等も本発明に含まれる。
例えば、前記実施形態では、本発明をリセットボタン１０によるリセット信号の入力部分に適用した例で説明したが、図１２ないし図１４に示すように、時刻修正時のりゅうず８（図１）の操作によりリセット信号を入力する部分に本発明を適用してもよい。
すなわち、りゅうず（外部操作部材）８が設けられた巻真１３０には、これと連動するおしどり１３１が係合しており、おしどり１３１の係合ピン１３１ａには、既設したように、基本時計輪列の四番第一中間車１０９（図２）を規制する規制部１３９ａを備えた規制レバー１３９がＬ字状の孔部１３９ｃで係合し、おしどり１３１と連動して動く。
【００６２】
このような規制レバー１３９には、ばね性を有する規制レバーばね部（位置決め部材）１３９ｂが設けられている。巻真１３０が引き出されない通常運針時（図１２）には、この規制レバーばね部１３９ｂにより信号入力ばね８００が電子回路と導通したリセット端子（信号入力端子）９００から離れた位置に保持されている。
一方、時刻修正時にりゅうず８を操作し、巻真１３０を引き出すと、この巻真１３０の動きに連動しておしどり１３１が軸１３１ｂを中心に回動し、さらに、規制レバー１３９が軸１３９ｄを中心に回動し、図１３，１４に示すように、規制レバーばね部１３９ｂが回路基板５０１と重なる位置まで移動する。これにより、信号入力ばね８００は自身の付勢力（ばね力）によりリセット端子９００側に戻り、立ち上り部８０１（図１４）の先端側がリセット端子９００と接触し、リセット信号が入力される。そして、この際の接触圧は、信号入力ばね８００の付勢力のみにより生じることとなり、信号入力ばね８００が塑性変形しない。
また、巻真１３０を戻しておしどり１３１および規制レバー１３９を戻すと、規制レバーばね部１３９ｂも戻って信号入力ばね８００をリセット端子９００から離間させる。
なお、このような構成でも、規制レバーばね部１３９ｂの断面係数が信号入力ばね８００のそれよりも大きいことは、前記実施形態と同様である。
【００６３】
このような構成でも、本発明をクロノグラフ針４，５を帰零させるためのリセットボタン１０部分に適用するか、時刻修正時の切換部分に適用するかの違いはあるが、前述した実施形態の（１）〜（４）の効果を略同様に得ることができる。また、本変形例の固有の構成により、以下の効果がある。
すなわち、この構成でも、信号入力ばね８００の塑性変形が生じないことにより、規制レバー１３９を介しての基本時計輪列の四番第一中間車１０９を規制したり、図２に示すつづみ車１３３を小鉄車１３４に噛み合わせるのと、リセット信号を電子回路に入力するのとを正しいタイミングで実施できるから、適正な切換タイミングを維持でき、モーターパルスの位相と、基本時計用モーター１０１を構成するローター磁石の極性とが反転するのを防止してりゅうず８押し込み時のスタートミスをなくすことができ、指示ずれの発生を抑制できる。つまり、時刻修正時には、リセット信号の入力→輪列の規制の順序でタイミングが正しく維持され、誤動作を防ぐことができるのである。
【００６４】
本発明の電子時計は、前期実施形態で説明したようなクロノグラフ付の多機能時計に限定されず、通常の３針式のクオーツ時計であってもよく、このような場合では特に、図１２ないし図１４で説明した切換部に本発明を適用できる。
【００６５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【図１】本発明の一実施形態にかかるクロノグラフ付時計の表外観図。
【図２】本発明のムーブメントの全体要部斜視図。
【図３】図２のクロノグラフ輪列の要部拡大斜視図。
【図４】秒ＣＧ車、分ＣＧ車部断面図。
【図５】帰零時の要部平面図。
【図６】図５の主要構成部の斜視図。
【図７】リセットボタン操作時の断面図。
【図８】図７のボタン側からみた側面図。
【図９】スタート・ストップ時の要部平面図。
【図１０】スタート・ストップボタン操作時の断面図。
【図１１】ボタン操作前の要部平面図。
【図１２】本発明の変形例を示す要部平面図。
【図１３】前記変形例の別な状態を示す要部平面図。
【図１４】前記変形例を示す要部側面図。
【符号の説明】
３１０…伝達レバー（レバー部材）、４…クロノグラフ秒針（クロノグラフ針）、５…クロノグラフ分針（クロノグラフ針）、８…りゅうず（外部操作部材）、１０…リセットボタン（外部操作部材、機能操作ボタン）、１３９ｂ…規制レバーばね部（位置決め部材）、３６０ａ…帰零押さえばね部（位置決め部材）、３６０ｃ，８００…信号入力ばね、７０１，９００…リセット端子（信号入力端子）。
【図１】
2005003493.tif 000003
【図２】
2005003493.tif 000004
【図３】
2005003493.tif 000005
【図４】
2005003493.tif 000006
【図５】
2005003493.tif 000007
【図６】
2005003493.tif 000008
【図７】
2005003493.tif 000009
【図８】
2005003493.tif 000010
【図９】
2005003493.tif 000011
【図１０】
2005003493.tif 000012
【図１１】
2005003493.tif 000013
【図１２】
2005003493.tif 000014
【図１３】
2005003493.tif 000015
【図１４】
2005003493.tif 000016